(57)【要約】【課題】商品を傾けて支持しつつ、棚の奥行きを有効に活用でき、美観に優れた陳列ができるようにする。【解決手段】シート材を折り曲げて形成する本体１と、片面段ボールを用いた帯板２とから成る陳列スタンドにおいて、前記本体１は、商品を凭れさせる背受板３の両側辺に側板４を、下辺に前敷板６をそれぞれ連設し、背受板３の下部に挿通口１０を設け、挿通口１０の両端から上方へ延びる切目１１間に揺動片１２を形成し、側板４を後方へ折り曲げ、背受板３を傾斜状態に保持すると共に、前敷板６を水平方向へ折り曲げた構成とし、前記帯板２は、長さ方向に直交する方向に中しん２２の段目を向けた構成とし、前記本体１の挿通口１０に、長さ方向を前後方向へ向け、中しん２２を上面として帯板２を挿通し、揺動片１２の先端を中しん２２に係合させて、帯板２を前後方向の任意の位置に係止する。【選択図】図１
2012152450.tif 000002
【特許請求の範囲】
【請求項１】
シート材を折り曲げて形成する本体(1)と、片面段ボールを用いた帯板(2)とから成り、前記本体(1)は、商品を凭れさせる背受板(3)の両側辺に側板(4)を、下辺に前敷板(6)をそれぞれ連設し、背受板(3)の下部に挿通口(10)を設け、挿通口(10)の両端から上方へ延びる切目(11)間に揺動片(12)を形成し、側板(4)を後方へ折り曲げ、背受板(3)を傾斜状態に保持すると共に、前敷板(6)を水平方向へ折り曲げた構成とし、前記帯板(2)は、長さ方向に直交する方向に中しん(22)の段目を向けた構成とし、前記本体(1)の挿通口(10)に、長さ方向を前後方向へ向け、中しん(22)を上面として帯板(2)を挿通し、揺動片(12)の先端を中しん(22)に係合させて、帯板(2)を前後方向の任意の位置に係止する陳列スタンド。
【発明の詳細な説明】
【技術分野】
【０００１】
この発明は、店頭での商品の陳列に際し、商品を傾けて支持する陳列スタンドに関するものである。
【背景技術】
【０００２】
従来、下記特許文献１には、図５及び図６に示すように、外箱５１に内装材５２を挿入し、内装材５２の片面段ボールを使用した床板５３により、外箱５１に前後に並べて収納した商品Ｇを、上方へかけて後方へ傾くように床板５３に置いた状態で、その下部を滑り止めし、商品Ｇの正面を少し上方へ向けて、陳列効果を高めるようにした陳列箱が記載されている。
【０００３】
この陳列箱において、外箱５１は、底壁５４の周囲に前壁５５、一対の側壁５６及び後壁５７を立設し、側壁５６の上端縁を後端から前端へかけて前下がりに傾斜させ、前壁５５を後壁５７よりも低くしたものとされている。
【０００４】
また、内装材５２の床板５３をなす片面段ボールは、一枚のライナ５８に波状の段を形成した中しん５９を貼り付けて、中しん５９を片面に露出させたものとされている。
【０００５】
そして、内装材５２は、中しん５９の段頂が延びる方向である段目を左右方向に向け、段の谷間に商品Ｇの下稜部が嵌り込むようにし、床板５３の後部から上方へ後傾して延びる内背板６０の上端を外箱５１の後壁５７に当接させ、前後に並べた商品Ｇを内背板６０に凭れさせて支持するものとされている。
【先行技術文献】
【特許文献】
【０００６】
【特許文献１】特開平１０−１９２１０８号公報
【発明の概要】
【発明が解決しようとする課題】
【０００７】
しかしながら、上記のような陳列箱では、店頭の棚の陳列スペースが前壁５５、一対の側壁５６及び後壁５７を有する外箱５１により制約され、棚の奥行きを十分に活用することができない場合がある。
【０００８】
また、商品Ｇが前方のものから順次抜き取られると、残存した商品Ｇの前方に床板５３の中しん５９が次第に大きく露出して、美観が損なわれるという問題もある。
【０００９】
そこで、この発明は、商品を傾けて支持しつつ、棚の奥行きを有効に活用でき、美観に優れた陳列ができるようにすることを課題とする。
【課題を解決するための手段】
【００１０】
上記のような課題を解決するため、この発明に係る陳列スタンドは、シート材を折り曲げて形成する本体と、片面段ボールを用いた帯板とから成り、前記本体は、商品を凭れさせる背受板の両側辺に側板を、下辺に前敷板をそれぞれ連設し、背受板の下部に挿通口を設け、挿通口の両端から上方へ延びる切目間に揺動片を形成し、側板を後方へ折り曲げ、背受板を傾斜状態に保持すると共に、前敷板を水平方向へ折り曲げた構成とし、前記帯板は、長さ方向に直交する方向に中しんの段目を向けた構成とし、前記本体の挿通口に、長さ方向を前後方向へ向け、中しんを上面として帯板を挿通し、揺動片の先端を中しんに係合させて、帯板を前後方向の任意の位置に係止するようにしたのである。
【発明の効果】
【００１１】
この陳列スタンドでは、帯板の長さを棚の奥行きに対応して設定し、商品を帯板の上に前後に並べて背受板に凭れさせるように置き、商品の下稜部を中しんの段の谷間に嵌り込ませて滑り止めし、商品を正面が少し上方へ向いた状態で支持することにより、棚の奥行きを有効に活用して、商品を陳列することができる。
【００１２】
また、商品が前方のものから取られて減少した場合、帯板に対し本体を前進させると、残存した商品の前方に見える帯板の中しんの長さが短くなるので、美観に優れた陳列状態を維持することができる。
【図面の簡単な説明】
【００１３】
【図１】この発明の実施形態に係る陳列スタンドの組立状態を示す斜視図
【図２】同上の陳列スタンドで商品を多数支持した状態を示す斜視図
【図３】同上の商品が減少した状態を示す斜視図
【図４】同上の陳列スタンドの本体のブランク及び帯板を示す図
【図５】従来の陳列箱を示す斜視図
【図６】同上の縦断側面図
【発明を実施するための形態】
【００１４】
以下、この発明の実施形態を添付図面に基づいて説明する。
【００１５】
この陳列スタンドは、図１に示すように、本体１と帯板２とから成り、店頭での商品の陳列に際し、図２及び図３に示すように、防虫剤等の小箱を外装とする商品Ｇを傾けて支持するものである。
【００１６】
本体１は、図４に示す板紙のブランクから形成される。このブランクでは、長方形の背受板３の両側辺に三角形の側板４及び折曲片５が順次連設され、背受板３の下辺及び上辺にそれぞれ前敷板６及び後板７が連設されている。後板７の両側辺には差込片８が、折曲片５の基部には側板４との稜線に沿って差込穴９がそれぞれ設けられている。
【００１７】
背受板３には、前敷板６との境界に沿って挿通口１０が設けられ、挿通口１０の両端から上方へ延びる切目１１間に揺動片１２が形成されている。切目１１の上端には、背受板３の破れを防止する丸穴１１ａが設けられ、揺動片１２の先端には、後述する帯板２の中しん２２に係合する突出部１２ａが形成されている。
【００１８】
帯板２は、挿通口１０に挿通可能な幅を有する長尺の片面段ボールであり、この片面段ボールは、図１に示すように、一枚のライナ２１に波状の段を形成した中しん２２を貼り付けて、中しん２２を片面に露出させたものとされ、帯板２の長さ方向に直交する方向に中しん２２の段目が向けられている。
【００１９】
上記のような本体１のブランクと帯板２を用いて、図１に示す陳列スタンドを組み立てるには、背受板３から一対の側板４を後方へ折り曲げ、折曲片５を内側へ折り曲げた後、後板７を下方へ折り曲げて折曲片５に重ね、差込片８を差込穴９に差し込んで、背受板３を上方へかけて後傾した状態に保持し、前敷板６を前方水平方向へ折り曲げる。
【００２０】
そして、本体１の挿通口１０に、長さ方向を前後方向へ向け、中しん２２を上面として帯板２を挿通する。このとき、本体１に対する帯板２の前後方向のスライドに伴い、揺動片１２の突出部１２ａが中しん２２に押されて、揺動片１２が弾力的に揺動し、突出部１２ａが中しん２２に係合して、帯板２が前後方向の任意の位置に係止される。
【００２１】
上記のような陳列スタンドでは、商品の陳列に際し、帯板２の長さを棚の奥行きに対応して設定し、図２に示すように、帯板２の後部に本体１を位置させ、商品Ｇを帯板２の上に前後に並べて背受板３に凭れさせるように置き、商品Ｇの下稜部を中しん２２の段の谷間に嵌り込ませて滑り止めし、商品Ｇを正面が少し上方へ向いた状態で支持する。
【００２２】
このように陳列すると、棚の奥行きを有効に活用して、商品Ｇを、その正面のデザインが見えやすいようにして訴求性を確保しつつ、陳列することができる。
【００２３】
また、図３に示すように、商品Ｇが前方のものから取られて減少した場合、帯板２に対し本体１を前進させると、残存した商品Ｇの前方に見える帯板２の中しん２２の長さが短くなるので、美観に優れた陳列状態を維持することができる。
【００２４】
なお、上記実施形態では、後板７を設けて、背受板３を傾斜状態に保持しているが、後板７を省略し、例えば、前敷板６を後方へ水平に折り曲げ、その側部を側板４に固定する構成として、背受板３を傾斜状態に保持するようにしてもよい。この場合、側板４の後辺を直線とする必要がなくなるので、側板４を三角形状とする必要はない。
【００２５】
また、本体１に帯板２を１枚のみ挿通したものを例示したが、本体１の背受板３に複数の挿通口１０を設けて、これらに複数枚の帯板２を並列に挿通し、それぞれの帯板２上に商品Ｇを前後に並べて置くようにしてもよい。
【００２６】
また、本体１の材料として、板紙を使用したものを例示したが、これに代えて、薄手の段ボールやプラスチックシート等、他のシート材を使用してもよい。
【符号の説明】
【００２７】
１  本体
２  帯板
３  背受板
４  側板
５  折曲片
６  前敷板
７  後板
８  差込片
９  差込穴
１０  挿通口
１１  切目
１１ａ  丸穴
１２  揺動片
１２ａ  突出部
２１  ライナ
２２  中しん
Ｇ  商品
【図１】
2012152450.tif 000003
【図２】
2012152450.tif 000004
【図３】
2012152450.tif 000005
【図４】
2012152450.tif 000006
【図５】
2012152450.tif 000007
【図６】
2012152450.tif 000008